(57)【要約】【課題】十分な密封性を確保することができ、且つ、必要な時には開蓋しやすい包装用容器を提供する。【解決手段】包装用容器（１）は、周壁部（３２）の上部に形成された環状凸部（３３）を有する容器本体（３）と、環状凸部（３３）に嵌合する環状凹部（５３）を有する蓋体（５）とを備える。内側係合部（Ｅｉ）が、環状凸部（３３）の係合面部（４３）と環状凹部（５３）の係合面部（６２）とが密着する状態で全周に亘って設けられ、外側係合部（Ｅｏ）が、周方向に断続的に設けられている。【選択図】図６
2019189289.tif 000002
【特許請求の範囲】
【請求項１】
周壁部の上部に形成された環状凸部を有する容器本体と、前記環状凸部に嵌合する環状凹部を有する蓋体と、を備える包装用容器であって、
前記環状凸部と前記環状凹部との間に、内側係合部と外側係合部とが形成されており、
前記内側係合部が、前記環状凸部の係合面部と前記環状凹部の係合面部とが密着する状態で全周に亘って設けられ、
前記外側係合部が、周方向に断続的に設けられている包装用容器。
【請求項２】
前記環状凸部の外側の垂下壁部に、全周に亘って内方に窪む凹溝が形成されているとともに、前記環状凹部の外側の垂下壁部に、内方に突出して前記凹溝に係入する複数の線状突起が断続的に形成され、
前記外側係合部が、複数の前記線状突起の形成位置に、前記凹溝と前記線状突起とが係合してなる係合部として設けられている請求項１に記載の包装用容器。
【請求項３】
前記凹溝は、下方に向かうに従って内方に向かう逆テーパー状傾斜面を有し、
鉛直面に対する前記逆テーパー状傾斜面のなす角が、３０°以上９０°以下である請求項２に記載の包装用容器。
【請求項４】
前記線状突起は、下方に向かうに従って内方に向かう上部傾斜面と、前記上部傾斜面よりも下方で下方に向かうに従って外方に向かう下部傾斜面と、を有する請求項２又は３に記載の包装用容器。
【請求項５】
前記上部傾斜面と前記下部傾斜面とのなす角が、７５°以上１０５°以下である請求項４に記載の包装用容器。
【請求項６】
前記蓋体は、前記垂下壁部の外縁よりも外方に突出する舌片状の摘み部を有し、
前記摘み部が、いずれかの前記線状突起の端部に隣接する位置に設けられている請求項２から５のいずれか一項に記載の包装用容器。
【請求項７】
前記摘み部が、周方向に隣り合う２つの前記線状突起のそれぞれの端部間に設けられている請求項６に記載の包装用容器。
【請求項８】
前記外側係合部の係合深さが、前記内側係合部の係合深さよりも深い請求項１から７のいずれか一項に記載の包装用容器。
【請求項９】
前記外側係合部の係合深さが、前記内側係合部の係合深さの２倍以上である請求項８に記載の包装用容器。
【請求項１０】
前記蓋体の外縁が、全周に亘って前記容器本体の外縁よりも内方に位置している請求項１から９のいずれか一項に記載の包装用容器。
【発明の詳細な説明】
【技術分野】
【０００１】
本発明は、包装用容器に関する。
【背景技術】
【０００２】
例えば弁当や惣菜等の食品を包装するために、包装用容器が用いられている。例えば特開２００９−６２０７３号公報（特許文献１）には、周壁部の上部に形成された環状凸部〔嵌合凸条Ｂ１〕を有する容器本体〔容器本体Ｂ〕と、環状凸部に嵌合する環状凹部〔嵌合凹条Ｃ１〕を有する蓋体〔蓋体Ｃ〕とを備える包装用容器が開示されている。このような内外嵌合タイプの包装用容器は、密封性が高く液漏れしにくいため、水分の多い惣菜やいわゆる汁物を収容するのに適している。
【０００３】
しかし、その一方で、容器本体と蓋体との嵌合が強固であるが故に、必要な時に開蓋しにくいという課題があった。
【先行技術文献】
【特許文献】
【０００４】
【特許文献１】特開２００９−６２０７３号公報
【発明の概要】
【発明が解決しようとする課題】
【０００５】
十分な密封性を確保することができ、且つ、必要な時には開蓋しやすい包装用容器の実現が望まれている。
【課題を解決するための手段】
【０００６】
本発明に係る包装用容器は、
周壁部の上部に形成された環状凸部を有する容器本体と、前記環状凸部に嵌合する環状凹部を有する蓋体と、を備える包装用容器であって、
前記環状凸部と前記環状凹部との間に、内側係合部と外側係合部とが形成されており、
前記内側係合部が、前記環状凸部の係合面部と前記環状凹部の係合面部とが密着する状態で全周に亘って設けられ、
前記外側係合部が、周方向に断続的に設けられている。
【０００７】
この構成によれば、内側係合部において環状凸部の係合面部と環状凹部の係合面部とが全周に亘って密着するので、十分な密封性を確保することができる。一方、外側係合部は、内側係合部によって十分な密封性が確保される点に鑑み、全周に亘ってではなく周方向に断続的に設けられるので、容器本体と蓋体との嵌合を強固としながらも過度に強固となるのを回避することができる。すなわち、全周に亘る内側係合部と断続的な外側係合部との組み合わせにより、適度な密封性と適度な嵌合力とが両立されている。従って、十分な密封性を確保することができ、且つ、必要な時には開蓋しやすい包装用容器を実現することができる。
【０００８】
以下、本発明の好適な態様について説明する。但し、以下に記載する好適な態様例によって、本発明の範囲が限定される訳ではない。
【０００９】
一態様として、
前記環状凸部の外側の垂下壁部に、全周に亘って内方に窪む凹溝が形成されているとともに、前記環状凹部の外側の垂下壁部に、内方に突出して前記凹溝に係入する複数の線状突起が断続的に形成され、
前記外側係合部が、複数の前記線状突起の形成位置に、前記凹溝と前記線状突起とが係合してなる係合部として設けられていることが好ましい。
【００１０】
この構成によれば、環状凸部の垂下壁部に形成される凹溝と、それに係入するように環状凹部の垂下壁部に形成される線状突起とにより、比較的簡易な構造で外側係合部を設けることができる。この場合において、凹溝を全周に亘って形成しておくことで、所望の位置に線状突起を形成するだけで、当該位置に外側係合部を設けることができる。よって、包装用容器の用途に応じた外側係合部の位置変更に、柔軟に対応することができる。
【００１１】
一態様として、
前記凹溝は、下方に向かうに従って内方に向かう逆テーパー状傾斜面を有し、
鉛直面に対する前記逆テーパー状傾斜面のなす角が、３０°以上９０°以下であることが好ましい。
【００１２】
この構成によれば、意図しない開蓋方向の外力が蓋体に作用した場合でも、逆テーパー状傾斜面に線状突起が当接することで、それ以上の開蓋方向への蓋体の移動を規制することができる。よって、意図せず蓋体が容器本体から外れてしまうのを抑制することができる。
【００１３】
一態様として、
前記線状突起は、下方に向かうに従って内方に向かう上部傾斜面と、前記上部傾斜面よりも下方で下方に向かうに従って外方に向かう下部傾斜面と、を有することが好ましい。
【００１４】
この構成によれば、閉蓋時には凹溝への線状突起の係入が下部傾斜面によって案内されるので、閉蓋操作を円滑に行うことができる。また、開蓋時には凹溝からの線状突起の離脱が上部傾斜面によって案内されるので、意図的な開蓋操作を円滑に行うことができる。よって、閉蓋操作及び開蓋操作の容易化を図ることができる。
【００１５】
一態様として、
前記上部傾斜面と前記下部傾斜面とのなす角が、７５°以上１０５°以下であることが好ましい。
【００１６】
この構成によれば、上部傾斜面及び下部傾斜面を、それぞれ、相手方に対する一種の“リブ”として働かせることができる。よって、比較的簡単な構成で線状突起の強度を高めることができる。また、鉛直面に対する上部傾斜面のなす角及び鉛直面に対する下部傾斜面のなす角を、それぞれ適度な大きさとすることができる。よって、円滑な閉蓋操作及び開蓋操作を容易に担保することができる。
【００１７】
一態様として、
前記蓋体は、前記垂下壁部の外縁よりも外方に突出する舌片状の摘み部を有し、
前記摘み部が、いずれかの前記線状突起の端部に隣接する位置に設けられていることが好ましい。
【００１８】
この構成によれば、摘み部を把持して開蓋操作を行う際に、摘み部に隣接する少なくとも１つの線状突起の、凹溝からの離脱のきっかけを作り出すことができる。よって、意図的な開蓋操作を円滑に行うことができる。
【００１９】
一態様として、
前記摘み部が、周方向に隣り合う２つの前記線状突起のそれぞれの端部間に設けられていることが好ましい。
【００２０】
この構成によれば、摘み部を把持して開蓋操作を行う際に、摘み部の両隣に隣接する２つの線状突起の、凹溝からの離脱のきっかけを作り出すことができる。よって、意図的な開蓋操作をより円滑に行うことができる。
【００２１】
一態様として、
前記外側係合部の係合深さが、前記内側係合部の係合深さよりも深いことが好ましい。
【００２２】
この構成によれば、外側係合部の係合深さを相対的に深くすることで、複数の外側係合部が周方向に断続的に設けられる場合であっても、外側係合部全体としての嵌合力を適度に高めることができる。
【００２３】
一態様として、
前記外側係合部の係合深さが、前記内側係合部の係合深さの２倍以上であることが好ましい。
【００２４】
この構成によれば、外側係合部全体として、良好な嵌合力を得ることができる。
【００２５】
一態様として、
前記蓋体の外縁が、全周に亘って前記容器本体の外縁よりも内方に位置していることが好ましい。
【００２６】
この構成によれば、開蓋方向の外力が意図せず蓋体に作用するのを回避することができ、不用意な開蓋を効果的に抑制することができる。
【００２７】
本発明のさらなる特徴と利点は、図面を参照して記述する以下の例示的かつ非限定的な実施形態の説明によってより明確になるであろう。
【図面の簡単な説明】
【００２８】
【図１】実施形態の包装用容器の分解側面図
【図２】容器本体の平面図
【図３】蓋体の平面図
【図４】包装用容器の分解断面図
【図５】図１におけるＶ−Ｖ断面図
【図６】図１におけるＶＩ−ＶＩ断面図
【図７】包装用容器の分解斜視図
【図８】別態様の包装用容器の拡大断面図
【図９】別態様の包装用容器の拡大断面図
【図１０】別態様の包装用容器の分解斜視図
【発明を実施するための形態】
【００２９】
包装用容器の実施形態について、図面を参照して説明する。本実施形態では、弁当や惣菜等の食品を被収容物としてその内部に収容する包装用容器（食品包装用容器）１を例として説明する。この包装用容器１は、水分の多い惣菜や、いわゆる汁物を収容するのに適しており、特に、電子レンジで加熱される食品を収容するのに適している。
【００３０】
なお、以下では、包装用容器１の内部側に向かう方向（外縁側から中央側に向かう方向）を「内方」と言い、包装用容器１の外部側に向かう方向（中央側から外縁側に向かう方向）を「外方」と言う。
【００３１】
図１に示すように、包装用容器１は、容器本体３と蓋体５とを備えている。包装用容器１は、シート成形によって形成されている。包装用容器１を構成する容器本体３及び蓋体５が、それぞれ、シート成形によって形成されている。容器本体３及び蓋体５は、例えば厚みが０．１ｍｍ〜３ｍｍ（好ましくは０．２ｍｍ〜１．５ｍｍ）の合成樹脂シートを熱成形（例えば真空成形、圧空成形、真空圧空成形、及び熱板成形等）して形成することができる。容器本体３と蓋体５とで、シート厚が異なっても良い。
【００３２】
容器本体３及び蓋体５を構成する合成樹脂シートとしては、例えばポリオレフィン系樹脂シート、ポリスチレン系樹脂シート、及びポリエステル系樹脂シート等の熱可塑性樹脂シートを用いることができる。これらは、発泡シートであっても良いし、非発泡シートであっても良い。また、積層シートを用いることもでき、積層シートとしては、例えば発泡シートにフィルムをラミネートしたフィルムラミネート発泡シート、共押出ラミネートシート、及び押出ラミネートシート等を用いることができる。
【００３３】
容器本体３及び蓋体５は、例えば黒色や白色等の有色であっても良いし、無色透明であっても良い。また、容器本体３を白色に形成するとともに蓋体５を無色透明に形成する等、容器本体３と蓋体５とで色を異ならせても良い。蓋体５を無色透明に形成すれば、被収容物たる食品を外から視認しやすいので好ましい。なお、容器本体３及び蓋体５少なくとも一方には、模様等のデザインが付されても良い。
【００３４】
容器本体３は、食品を収容する碗状の器である。図１、図２、及び図４に示すように、容器本体３は、底面部３１と、周壁部３２と、環状凸部３３と、摘み部３４とを備えている。底面部３１は、容器本体３の底部を形成している。周壁部３２は、全体として筒状をなすように、底面部３１の周縁から上方に延びている。周壁部３２は、上方に向かうに従って外方に向かうように拡開している。環状凸部３３は、周壁部３２の上部に全周に亘って形成されている。環状凸部３３は、上方に向かって凸となるように形成されている。摘み部３４は、環状凸部３３の外縁から外方に突出している。摘み部３４は、舌片状に形成されて略水平に配置されている。
【００３５】
蓋体５は、容器本体３に対してその上部開口を覆うように取り付けられる。図１、図３、及び図４に示すように、蓋体５は、天面部５１と、周壁部５２と、環状凹部５３と、摘み部５４とを備えている。天面部５１は、蓋体５の天井部を形成している。周壁部５２は、全体として筒状をなすように、天面部５１の周縁から下方に延びている。周壁部５２は、下方に向かうに従って外方に向かうように拡開している。環状凹部５３は、周壁部５２の下部に全周に亘って形成されている。環状凹部５３は、上方に向かって窪む（凹む）ように形成されている。摘み部５４は、環状凹部５３の外縁から外方に突出している。摘み部５４は、舌片状に形成されて略水平に配置されている。摘み部５４は、閉蓋状態で、容器本体３の摘み部３４に重ね合わされる。
【００３６】
閉蓋時には、蓋体５の環状凹部５３が容器本体３の環状凸部３３に上方から嵌合して、容器本体３と蓋体５とが一体化される（図５及び図６を参照）。環状凸部３３及び環状凹部５３は、所定の径方向幅及び所定の高さ（深さ）を有しており、環状凸部３３と環状凹部５３との間には、内側係合部Ｅｉと外側係合部Ｅｏとが形成される。詳しくは後述するように、内側係合部Ｅｉは、全周に亘って設けられる。一方、外側係合部Ｅｏは、周方向に断続的に設けられる。一般的な内外嵌合タイプの包装用容器は、内嵌合部及び外嵌合部がいずれも全周に亘って設けられるのに対して、本実施形態の包装用容器１は、内側係合部Ｅｉだけが全周に亘って設けられ、外側係合部Ｅｏは断続的に設けられる点で異なっている。
【００３７】
以下、内側係合部Ｅｉ及び外側係合部Ｅｏの近傍における容器本体３及び蓋体５の構造について、より具体的に説明する。
【００３８】
図５及び図６に示すように、容器本体３は、第一段部４１と、第二段部４２と、内側係合面部４３と、頂面部４４と、垂下壁部４５と、凹溝４６と、鍔部４７とを備えている。第一段部４１は、周壁部３２の上部から連続して形成されている。第二段部４２は、第一段部４１の上部から連続して形成されている。第一段部４１及び第二段部４２は、水平に配置される平坦面をそれぞれ有している。第二段部４２の平坦面は、蓋体５の載置面部６１が載置される被載置面となっている。
【００３９】
内側係合面部４３は、第二段部４２から連続して形成されている。内側係合面部４３は、上方に向かうに従って内方に向かう逆テーパー状に形成されている。鉛直面に対する内側係合面部４３のなす角αは、特に限定されるものではないが、例えば１°以上３０°以下（好ましくは１０°以上２０°以下）とすることができる。内側係合面部４３には、蓋体５の内側係合面部６２が内方から係合（嵌合）する。
【００４０】
頂面部４４は、内側係合面部４３の上部から連続して形成されている。頂面部４４は、水平に配置される平坦面を有している。垂下壁部４５は、頂面部４４の外側部位から連続して形成されている。垂下壁部４５は、下方に向かうに従って外方に向かうテーパー状に形成されている。垂下壁部４５における中央領域には、外方に向かって膨出する膨出部４５Ａが形成されている。膨出部４５Ａは、全周に亘って形成されている。この膨出部４５Ａの存在によって垂下壁部４５における外方に膨らんだ部位に、凹溝４６が形成されている。
【００４１】
凹溝４６は、全周に亘って内方に窪むように形成されている。凹溝４６は、逆テーパー状傾斜面４６Ａと、鉛直底面４６Ｂと、下部傾斜面４６Ｃとによって区画される溝部として形成されている。逆テーパー状傾斜面４６Ａは、膨出部４５Ａの下部から、下方に向かうに従って内方に向かう逆テーパー状に形成されている。鉛直底面４６Ｂは、逆テーパー状傾斜面４６Ａの下部から延びる鉛直面として形成され、凹溝４６の底面を構成している。下部傾斜面４６Ｃは、鉛直底面４６Ｂの下部から、下方に向かうに従って外方に向かうテーパー状に形成されている。本実施形態の下部傾斜面４６Ｃは、上方に向かって凸の湾曲傾斜面として形成されている。
【００４２】
鉛直面に対する逆テーパー状傾斜面４６Ａのなす角βは、特に限定されるものではないが、３０°以上９０°以下であることが好ましい。鉛直面に対する逆テーパー状傾斜面４６Ａのなす角βは、４５°以上７５°以下であることがより好ましい。
【００４３】
鍔部４７は、垂下壁部４５（下部傾斜面４６Ｃ）の下部から連続して形成されている。鍔部４７は、垂下壁部４５（下部傾斜面４６Ｃ）から外方に向かう水平面として形成されている。この鍔部４７の外縁が、容器本体３の外縁となっている。
【００４４】
図５に示すように、蓋体５は、載置面部６１と、内側係合面部６２と、頂面部６３と、垂下壁部６４とを備えている。載置面部６１は、周壁部５２の下部から連続して形成されている。載置面部６１は、平坦面に形成されて水平に配置されている。この載置面部６１は、閉蓋状態で、容器本体３の第二段部４２の平坦面に載置される。
【００４５】
内側係合面部６２は、載置面部６１から連続して形成されている。内側係合面部６２は、上方に向かうに従って内方に向かう逆テーパー状に形成されている。内側係合面部６２は、容器本体３の内側係合面部４３と同様の形状を有し、且つ、それよりもひとまわり小さく形成されている。内側係合面部６２は、容器本体３の内側係合面部４３に対して内方から係合（嵌合）する。内側係合面部４３，６２は、いずれも全周に亘って一律の断面形状を有するように形成されており、これらは全周に亘って互いに係合（嵌合）する。すなわち、内側係合部Ｅｉは、内側係合面部４３と内側係合面部６２とが密着する状態で全周に亘って設けられる。本実施形態では、内側係合面部４３が「環状凸部の係合面部」に相当し、内側係合面部６２が「環状凹部の係合面部」に相当する。
【００４６】
頂面部６３は、内側係合面部６２の上部から連続して形成されている。頂面部６３は、水平に配置される平坦面を有している。頂面部６３は、容器本体３の頂面部４４に対して上方から係合する。垂下壁部６４は、頂面部６３の外側部位から連続して形成されている。垂下壁部６４は、下方に向かうに従って外方に向かうテーパー状に形成されている。垂下壁部６４は、閉蓋状態で、容器本体３の垂下壁部４５の膨出部４５Ａに対して外方から係合するとともに、その下端部が鍔部４７の上面に当接する。この状態で、垂下壁部６４は、容器本体３の垂下壁部４５の凹溝４６を外方から覆う。
【００４７】
図１、図６、及び図７に示すように、蓋体５は、線状突起６５をさらに備えている。線状突起６５は、垂下壁部６４の下部領域に、内方に突出するように形成されている。線状突起６５は複数個設けられており、複数の線状突起６５が、周方向に断続的に形成されている。線状突起６５は、それぞれ、外方から容器本体３の凹溝４６に係入する。そして、外側係合部Ｅｏが、複数の線状突起６５の形成位置に、凹溝４６と線状突起６５とが係合してなる係合部として設けられている。上述したように、凹溝４６は全周に亘って形成され、線状突起６５は周方向に断続的に形成されている。このため、凹溝４６と線状突起６５とが係合してなる外側係合部Ｅｏも、線状突起６５の形成位置に準じて、周方向に断続的に設けられる。このような構成では、蓋体５において所望の位置に線状突起６５を形成するだけで、当該位置に外側係合部Ｅｏを設けることができる。よって、包装用容器１の用途に応じた外側係合部Ｅｏの位置変更に、柔軟に対応することができる。
【００４８】
線状突起６５は、上部傾斜面６５Ａと、先端鉛直面６５Ｂと、下部傾斜面６５Ｃとを有する。上部傾斜面６５Ａは、垂下壁部６４の所定位置から連続して形成されている。上部傾斜面６５Ａは、下方に向かうに従って内方に向かう逆テーパー状に形成されている。先端鉛直面６５Ｂは、上部傾斜面６５Ａの下部から延びる鉛直面として形成されている。下部傾斜面６５Ｃは、先端鉛直面６５Ｂの下部から連続して形成されている。下部傾斜面６５Ｃは、下方に向かうに従って外方に向かうテーパー状に形成されている。
【００４９】
下部傾斜面６５Ｃは、閉蓋操作時に、凹溝４６への線状突起６５の係入を案内する。下部傾斜面６５Ｃは、膨出部４５Ａに対して点接触して、線状突起６５が滑りながらスムーズに凹溝４６に係入するように作用する。よって、閉蓋操作を円滑に行うことができる。上部傾斜面６５Ａは、閉蓋状態において開蓋方向の意図されない外力が作用した場合に逆テーパー状傾斜面４６Ａに係止される。よって、不用意な開蓋を防止することができる。また、上部傾斜面６５Ａは、開蓋操作時に、膨出部４５Ａに対して点接触して、線状突起６５が滑りながらスムーズに凹溝４６から離脱するように作用する。よって、意図的な開蓋操作を円滑に行うことができる。
【００５０】
上部傾斜面６５Ａと下部傾斜面６５Ｃとのなす角γは、特に限定されるものではないが、７５°以上１０５°以下（９０°±１５°）であることが好ましい。上部傾斜面６５Ａと下部傾斜面６５Ｃとのなす角γは、８５°以上９５°以下（９０°±５°）であることがより好ましい。このようにすれば、上部傾斜面６５Ａ及び下部傾斜面６５Ｃを、それぞれ、相手方に対する一種の“リブ”として働かせることができる。よって、比較的簡単な構成で線状突起６５の強度を高めることができる。さらに本実施形態では、鉛直面に対する上部傾斜面６５Ａのなす角と、鉛直面に対する下部傾斜面６５Ｃのなす角とが、同程度の大きさ（およそ４５°）とされている。これらの構成により、上述した上部傾斜面６５Ａ及び下部傾斜面６５Ｃを有することによる各効果の実効性が確保されている。
【００５１】
上述したように、垂下壁部６４には複数の線状突起６５が周方向に断続的に形成されている。すなわち、垂下壁部６４には、線状突起６５が形成された領域と、線状突起６５が形成されていない領域とが交互に存在する。線状突起６５が形成された領域では、下部傾斜面６５Ｃの下端縁が蓋体５の外縁となっており（図６を参照）、線状突起６５が形成されていない領域では、垂下壁部６４の下端縁が蓋体５の外縁となっている（図５を参照）。いずれにしても、蓋体５の外縁は、全周に亘って容器本体３の外縁よりも内方に位置している。このような構成により、開蓋方向の外力が意図せず蓋体５に作用するのを回避することができる。よって、この点からも、不用意な開蓋を抑制することができる。
【００５２】
本実施形態の包装用容器１は、全周に亘って設けられる内側係合部Ｅｉと、周方向に断続的に設けられる外側係合部Ｅｏとを有し、言わば“不完全な内外嵌合タイプ”ないし“準内外嵌合タイプ”の包装用容器となっている。内側係合部Ｅｉにおいて、内側係合面部４３と内側係合面部６２とが全周に亘って密着するので、よくある内嵌合タイプの包装用容器と同様に、十分な密封性を確保することができる。外側係合部Ｅｏは、全周に亘ってではなく周方向に断続的に設けられるので、容器本体３と蓋体５との嵌合を強固としながらも過度に強固となるのを回避することができる。このように、適度な密封性と適度な嵌合力とを両立させることで、十分な密封性を確保することができ、且つ、必要な時には開蓋しやすい包装用容器１となっている。
【００５３】
また、断続的ながらも外側係合部Ｅｏを備えることで、内嵌合タイプの包装用容器に比べて、不用意な開蓋を抑止することができる。例えば食品を収容した包装用容器１を電子レンジで加熱する場合、蓋体５の熱収縮による変形等に起因して、内側係合部Ｅｉの係合が外れて開蓋してしまう可能性がある。耐熱性の高い素材で蓋体５を形成することも考えられるが、蓋体５の剛性を高く維持することが困難な場合も多い。例えばポリプロピレン素材であれば、耐熱性には優れるものの、軟質で腰が弱いために蓋体５の剛性が低下するおそれがある。本実施形態の包装用容器１であれば、耐熱性の高い素材を使用せずに仮に蓋体５が熱収縮したとしても、外側係合部Ｅｏの係合はむしろより強まるので、不用意な開蓋を抑止することができる。
【００５４】
また、仮に内側係合部Ｅｉの係合が外れたとしても、漏れ出た蒸気を、外側係合部Ｅｏがない部位（線状突起６５が形成されていない部位）から凹溝４６を通って外部に排出することができる。すなわち、外側係合部Ｅｏが係合した状態を保ったまま、外側係合部Ｅｏがない部位から蒸気を逃がすことで、内圧上昇によって周方向のいずれかの部位で蓋体５が完全に外れてしまうのを回避することができる。よって、この点からも、不用意な開蓋を効果的に抑止することができる。
【００５５】
なお、加熱時に限らず、例えば食品を収容した包装用容器１の搬送中に意図されない外力が作用するような場合にも、外側係合部Ｅｏの存在により、不用意な開蓋を抑止することができる。
【００５６】
外側係合部Ｅｏの係合深さδは、特に限定されるものではないが、内側係合部Ｅｉの係合深さεよりも深い（δ＞ε）ことが好ましい。なお、外側係合部Ｅｏの係合深さδは、径方向における、容器本体３の鉛直底面４６Ｂと蓋体５の先端鉛直面６５Ｂとの係合位置と、垂下壁部４５（膨出部４５Ａを含む）と垂下壁部６４との係合位置との間の離間距離である（図６を参照）。また、内側係合部Ｅｉの係合深さεは、容器本体３及び蓋体５の逆テーパー状の内側係合面部４３，６２どうしの係合面の、径方向における外方端と内方端との間の離間距離である。このように、外側係合部Ｅｏの係合深さδを相対的に深くすることで、複数の外側係合部Ｅｏが断続的に設けられる場合であっても、複数の外側係合部Ｅｏの全体としての嵌合力を適度に高めることができる。好ましくは、外側係合部Ｅｏの係合深さδは、内側係合部Ｅｉの係合深さεの２倍以上（δ＞２・ε）である。
【００５７】
内側係合部Ｅｉと外側係合部Ｅｏとの上下方向の位置関係は特に限定されないが、外側係合部Ｅｏの少なくとも一部が、内側係合部Ｅｉよりも下方に配置されていても良い。本実施形態では、図６に示すように、外側係合部Ｅｏの全体が内側係合部Ｅｉよりも下方に配置されている。図示の例では、膨出部４５Ａの形成位置を含みそれよりも上方に内側係合部Ｅｉが配置され、膨出部４５Ａよりも下方にある凹溝４６を構成要素の１つとする外側係合部Ｅｏが、内側係合部Ｅｉよりも下方にある第一段部４１の形成位置を含みそれよりも下方に配置されている。
【００５８】
線状突起６５を構成要素の１つとする外側係合部Ｅｏの周方向の位置は特に限定されないが、図７に示すように、少なくとも１つの外側係合部Ｅｏ（線状突起６５）が、摘み部５４の基端部に隣接する位置に設けられていることが好ましい。言い換えれば、摘み部５４が、いずれかの外側係合部Ｅｏ（線状突起６５）の端部に隣接する位置に設けられていることが好ましい。この場合において、図示の例のように、摘み部５４が、周方向に隣り合う２つの外側係合部Ｅｏ（線状突起６５）のそれぞれの端部間に設けられていることがさらに好ましい。このようにすれば、摘み部５４を把持して開蓋操作を行う際に、摘み部５４の両隣に隣接する２つの線状突起６５の、凹溝４６からの離脱のきっかけを作り出すことができる。よって、意図的な開蓋操作を円滑に行うことができる。
【００５９】
〔その他の実施形態〕
（１）上記の実施形態では、容器本体３において凹溝４６が全周に亘って形成されている構成を例として説明した。しかし、そのような構成に限定されることなく、例えば複数の線状凹部が、蓋体５における複数の線状突起６５の形成位置に応じて周方向に断続的に形成されても良い。この場合、互いに係合する線状凹部と線状突起６５の各組により、周方向に断続的に設けられる外側係合部Ｅｏが構成される。
【００６０】
（２）上記の実施形態において説明した環状凸部３３や環状凹部５３の具体的構造はあくまで一例であって、他の任意の構造（例えば図８や図９に示す構造等）を採用することも可能である。例えば図８に示す例のように、容器本体３に下部傾斜面４６Ｃが設けられず、鉛直底面４６Ｂの下部から直接連続する鍔部４７が凹溝４６の区画形成に寄与しても良い。また、同図のように、上部傾斜面６５Ａと下部傾斜面６５Ｃとのなす角γは必ずしもおよそ９０°でなくても良く、鉛直面に対する上部傾斜面６５Ａのなす角と下部傾斜面６５Ｃのなす角とが大きく異なっても良い。また、図９に示す例のように、外側係合部Ｅｏが、逆テーパー状傾斜面４６Ａと上部傾斜面６５Ａとが密着し、鉛直底面４６Ｂと先端鉛直面６５Ｂとが密着する状態で設けられても良い。さらに、蓋体５の線状突起６５が、先端鉛直面６５Ｂを有さずに、互いに直接連続する上部傾斜面６５Ａと下部傾斜面６５Ｃとだけを有して構成されても良い。
【００６１】
（３）上記の実施形態では、外側係合部Ｅｏの係合深さδが内側係合部Ｅｉの係合深さεよりも深い（δ＞ε）構成を例として説明した。しかし、そのような構成に限定されることなく、例えば外側係合部Ｅｏの係合深さδと内側係合部Ｅｉの係合深さεとが同一であっても良い（δ＝ε）。或いは、外側係合部Ｅｏの係合深さδが内側係合部Ｅｉの係合深さεよりも浅くても良い（δ＜ε）。
【００６２】
（４）上記の実施形態では、外側係合部Ｅｏの全体が内側係合部Ｅｉよりも下方に配置されている構成を例として説明した。しかし、そのような構成に限定されることなく、例えば図９に示すように、外側係合部Ｅｏの一部が内側係合部Ｅｉと同じ高さに配置され、他の一部だけが内側係合部Ｅｉよりも下方に配置されていても良い。すなわち、外側係合部Ｅｏの少なくとも一部が内側係合部Ｅｉよりも下方に配置されるだけでも良い。また、外側係合部Ｅｏと内側係合部Ｅｉとが同じ高さに配置され、或いは、外側係合部Ｅｏの少なくとも一部が内側係合部Ｅｉよりも上方に配置されても良い。
【００６３】
（５）上記の実施形態では、閉蓋状態で、容器本体３の第二段部４２と蓋体５の載置面部６１とが密着するとともに、容器本体３の頂面部４４と蓋体５の頂面部６３とが密着する構成を例として説明した。しかし、そのような構成に限定されることなく、例えば図８に示すように、第二段部４２と載置面部６１との間や頂面部４４，６３どうしの間に隙間が形成されても良い。
【００６４】
（６）上記の実施形態では、摘み部５４が周方向に隣り合う２つの外側係合部Ｅｏ（線状突起６５）のそれぞれの端部間に設けられている構成を例として説明した。しかし、そのような構成に限定されることなく、例えば図１０に示すように、摘み部５４が、一方の基端部だけが外側係合部Ｅｏ（線状突起６５）の端部に隣接するように設けられても良い。或いは、摘み部５４と外側係合部Ｅｏ（線状突起６５）とが周方向に互いに離間して設けられても良い。
【００６５】
（７）上記の実施形態では、容器本体３及び蓋体５が平面視円形状に形成されている構成を例として説明した。しかし、そのような構成に限定されることなく、平面視形状は任意であって良い。例えば図１０に示すように、容器本体３及び蓋体５が平面視楕円形状に形成されても良い。或いは、容器本体３及び蓋体５が、平面視多角形状（長方形状、正方形状、及び八角形状等）又は平面視半円状等に形成されても良い。容器本体３及び蓋体５の各辺は、平面視又は側面視で、必ずしも直線状でなくても良く、湾曲していても良い。
【００６６】
（８）上記の実施形態では、水分の多い惣菜や汁物を収容し、電子レンジでの加熱が予定された包装用容器１を主に想定して説明した。しかし、そのような構成に限定されることなく、水分の少ない食品や非加熱用の食品を収容するのに、上述した包装用容器１を用いても良い。或いは、食品に限らず、他の物品を収容するのに、上述した包装用容器１を用いても良い。
【００６７】
（９）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【符号の説明】
【００６８】
１        包装用容器
３        容器本体
５        蓋体
３２      周壁部
３３      環状凸部
４３      内側係合面部（環状凸部の係合面部）
４５      垂下壁部
４６      凹溝
４６Ａ    逆テーパー状傾斜面
５３      環状凹部
５４      摘み部
６２      内側係合面部（環状凹部の係合面部）
６４      垂下壁部
６５      線状突起
６５Ａ    上部傾斜面
６５Ｃ    下部傾斜面
Ｅｉ      内側係合部
Ｅｏ      外側係合部
α        鉛直面に対する環状凸部の係合面部のなす角
β        鉛直面に対する逆テーパー状傾斜面のなす角
γ        上部傾斜面と下部傾斜面とのなす角
δ        外側係合部の係合深さ
ε        内側係合部の係合深さ
【図１】
2019189289.tif 000003
【図２】
2019189289.tif 000004
【図３】
2019189289.tif 000005
【図４】
2019189289.tif 000006
【図５】
2019189289.tif 000007
【図６】
2019189289.tif 000008
【図７】
2019189289.tif 000009
【図８】
2019189289.tif 000010
【図９】
2019189289.tif 000011
【図１０】
2019189289.tif 000012